(57)【要約】【課題】釣り情報表示装置において、内部電池の消耗を防止する。【解決手段】釣り用リールのリール本体１の上部には、ケース部材４が固定されている。ケース部材４には、仕掛けの水深や棚位置を水面からと底からとの２つの基準で表示するための液晶ディスプレイからなる表示部５と、表示部５の側部に並べて配置されたスイッチ操作部６とが設けられている。スイッチ操作部６は、表示部５の右側部に配置された表示部５の表示をオン、オフするため表示キー６ａと、表示部５の左側部に配置されたロックキーＬＫとを有している。ロックキーＬＫは、表示キー６ａがオフ操作されているとき、オン操作により表示キー６ａのオン操作を無効にし、オフ操作により表示キー６ａのオン操作を有効にするスイッチである。【選択図】      図２
2004254665.tif 000002
【特許請求の範囲】
【請求項１】
仕掛けの水深等の各種の情報を表示する釣り情報表示装置であって、
前記各種の情報を表示する表示部と、
前記表示部の表示をオン、オフ操作するための第１スイッチ操作部材と、
操作を行うための操作面の少なくとも一部が外方に露出して配置され、前記操作面が面一以下になるように移動可能に装着された第２スイッチ操作部材と、
前記第１スイッチ操作部材がオフ操作されているとき、前記第２スイッチ操作部材のオン操作により前記第１スイッチ操作部材のオン操作を無効にし、かつ前記第２スイッチ操作部材のオフ操作により前記第１スイッチ操作部材のオン操作を有効にする制御部と、
を備えた釣り情報表示装置。
【請求項２】
各種の操作を行うための第３スイッチ操作部材をさらに備えている、請求項１に記載の釣り情報表示装置。
【請求項３】
前記制御部は、前記第３スイッチ操作部材がオフ操作されているとき、前記第２スイッチ操作部材のオン操作により前記第３スイッチ操作部材のオン操作を無効にし、かつ前記第２スイッチ操作部材のオフ操作により前記第３スイッチ操作部材のオン操作を有効にする、請求項２に記載の釣り情報表示装置。
【請求項４】
前記表示部は釣り用リールのリール本体上面に配置されている、請求項１から３のいずれかに記載の釣り情報表示装置。
【請求項５】
前記第１スイッチ操作部材及び前記第２スイッチ操作部材は前記表示部の側部に並べて配置されている、請求項４に記載の釣り情報表示装置。
【発明の詳細な説明】
【０００１】
【発明の属する技術分野】
本発明は、釣り情報表示装置、特に、仕掛けの水深等の各種の情報を表示する釣り情報表示装置に関する。
【０００２】
【従来の技術】
釣り情報表示装置は、たとえばカウンタリールや電動リール等の釣り用リールのリール本体上面に表示部が配置されたものが知られている（たとえば、特許文献１参照）。従来の表示部は、棚位置や現在の仕掛けの水深等の各種の情報を表示するためのものであり、内部電池により駆動される。この表示部は、たとえばセグメント方式やドットマトリックス方式等の液晶ディスプレイである。このような釣り用リールでは、リール本体の上面に突出して配置されたスイッチ操作部材を操作することにより、表示部の表示をオン、オフできる。
【０００３】
【特許文献１】
特開平９−１２４号公報
【０００４】
【発明が解決しようとする課題】
前記従来の釣り用リールでは、スイッチ操作部材を操作することにより、表示部の表示をオン、オフできる。しかし、釣り用リールを使用しないときは箱等に収納するが、このとき箱の内部においてリール本体の上面に突出して配置されたスイッチ操作部材が接触し、スイッチ操作部材がオン状態となり、表示部の表示がオンされたままとなることがある。このように、表示部の表示がオン状態を維持すると、長期の間釣り用リールを保管しておくと、内部電池が消耗してしまうおそれが生じる。
【０００５】
本発明の課題は、釣り情報表示装置において、内部電池の消耗を防止することにある。
【０００６】
【課題を解決するための手段】
発明１に係る釣り情報表示装置は、仕掛けの水深等の各種の情報を表示する釣り情報表示装置であって、各種の情報を表示する表示部と、表示部の表示をオン、オフ操作するための第１スイッチ操作部材と、操作を行うための操作面の少なくとも一部が外方に露出して配置され操作面が面一以下になるように移動可能に装着された第２スイッチ操作部材と、制御部とを備えている。制御部は、第１スイッチ操作部材がオフ操作されているとき、第２スイッチ操作部材のオン操作により第１スイッチ操作部材のオン操作を無効にし、かつ第２スイッチ操作部材のオフ操作により第１スイッチ操作部材のオン操作を有効にする。
【０００７】
この釣り情報表示装置では、第１スイッチ操作部材がオフ操作されているとき、すなわち表示部がオフ状態であるとき、第２スイッチ操作部材をオン操作すると第１スイッチ操作部材のオン操作を無効にできる。ここでは、たとえば釣り情報表示装置を箱に収納する前に第２スイッチ操作部材をオン操作することにより、箱の内部で第１スイッチ操作部材が押圧されても表示部がオン状態になることはない。さらに、第２スイッチ操作部材は、操作面が面一以下になるように装着されているので、箱の中で第２スイッチ操作部材が押圧されにくくなる。したがって、表示部の表示がオン状態を維持することがなくなるので、内部電池の消耗を防止できる。
【０００８】
発明２に係る釣り情報表示装置は、発明１の釣り情報表示装置において、各種の操作を行うための第３スイッチ操作部材をさらに備えている。この場合、たとえば第３スイッチ操作部材として各種のモードを切り換えるモードスイッチや設定をリセットするリセットスイッチ等を第１スイッチ操作部材及び第２スイッチ操作部材と別に設けることにより、各種の操作を容易に行える。
【０００９】
発明３に係る釣り情報表示装置は、発明２の釣り情報表示装置において、制御部は、第３スイッチ操作部材がオフ操作されているとき、第２スイッチ操作部材のオン操作により第３スイッチ操作部材のオン操作を無効にし、かつ第２スイッチ操作部材のオフ操作により第３スイッチ操作部材のオン操作を有効にする。この場合、第２スイッチ操作部材のオン操作することにより、第３スイッチ操作部材の誤操作を防止できる。
【００１０】
発明４に係る釣り情報表示装置は、発明１から３のいずれかの釣り情報表示装置において、表示部は釣り用リールのリール本体上面に配置されている。この場合、カウンタリールや電動リール等の釣り用リールの表示部においても、本発明を適用できる。
発明５に係る釣り情報表示装置は、発明４の釣り情報表示装置において、第１スイッチ操作部材及び第２スイッチ操作部材は表示部の側部に並べて配置されている。この場合、表示部を視認しながらの第１スイッチ操作部材及び第２スイッチ操作部材の操作性を向上できる。
【００１１】
【発明の実施の形態】
本発明の一実施形態を採用した釣り用リールは、図１及び図２に示すように、水深表示機能を有する手巻きのカウンタリールである。このカウンタリールは、釣竿に装着されるリール本体１と、リール本体１の側方に配置されたスプール回転用のハンドル２と、ハンドル２のリール本体１側に配置されたドラグ調整用のスタードラグ３と、リール本体１に回転自在に装着されたスプール１０とを主に備えている。
【００１２】
リール本体１は、左右１対の第１側板７ａ及び第２側板７ｂと第１側板７ａ及び第２側板７ｂを連結する図示しない複数の連結部とからなるフレーム７と、フレーム７の左右をそれぞれ覆う左右の第１側カバー８ａ及び第２側カバー８ｂと、フレーム７の前部を覆う前カバー９とを有している。
リール本体１の上部には、ケース部材４が固定されている。ケース部材４の内部は、外部に対して水密に封止されている。ケース部材４には、仕掛けの水深や棚位置を水面からと底からとの２つの基準で表示するための液晶ディスプレイからなる表示部５と、表示部５の側部に並べて配置されたスイッチ操作部６とが設けられている。
【００１３】
表示部５は、セグメント方式の液晶ディスプレイであり、いずれも図示しないが、４桁の７セグメント表示の水深表示領域と、その下方に配置された３桁の底水深表示領域とを有している。また、表示部５の表面側には、表示部５を覆うように透光性を有する合成樹脂製の図示しないカバー部材が設けられている。
スイッチ操作部６は、図１及び図２に示すように、表示部５の右側部に上下に並べて配置された表示キー６ａ（第１スイッチ操作部材の一例）、モードキー６ｂ及びメモキー６ｃ（第３スイッチ操作部材の一例）と、表示部５の左側部に配置されたロックキーＬＫ（第２スイッチ操作部材の一例）とを有している。
【００１４】
表示キー６ａは、表示部５の表示をオン、オフするためのスイッチである。モードキー６ｂは、各種のモードを切り換えるためのスイッチである。メモキー６ｃは、仕掛けが底に到達したときに押圧することにより水深を設定したり、０位置をセットしたりするスイッチである。表示キー６ａ、モードキー６ｂ及びメモキー６ｃは、ケース部材４の上面に突出して配置されている。
【００１５】
ロックキーＬＫは、具体的な制御については後述するが、表示キー６ａがオフ操作されているとき、オン操作により表示キー６ａのオン操作を無効にし、オフ操作により表示キー６ａのオン操作を有効にするスイッチである。また、ロックキーＬＫはオン操作によりモードキー６ｂ及びメモキー６ｃのオン操作を無効にし、オフ操作によりモードキー６ｂ及びメモキー６ｃのオン操作を有効にするスイッチでもある。
【００１６】
ロックキーＬＫは、図４及び図５に拡大して示すように、円柱状の操作部材５０と、操作部材５０の上面に設けられ外方に露出するようにして配置された操作面５０ａとを有している。操作面５０ａは、ケース部材４の上面４ｂ（図５参照）と面一以下になるように開口部４ａに装着されている。
ケース部材４の内部には、表示部５と、表示部５及びスイッチ操作部６に接続された制御部３０（図３参照）とが配置されている。制御部３０は、ＣＰＵ、ＲＡＭ、ＲＯＭ、Ｉ／Ｏインターフェイス等を含むマイクロコンピュータを備えており、制御プログラムに従って表示制御や電源管理等の各種の制御動作を実行する。
【００１７】
制御部３０には、図３に示すように、表示部５と、スイッチ操作部６と、各種情報を記憶するＥＥＰＲＯＭ等の不揮発メモリからなる記憶部３３と、制御部３０及び表示部５に電力を供給するためのコンデンサからなる内部電池３４と、他の入出力部とが接続されている。内部電池３４は、ケース部材４の内部に装着されており、たとえばボタン電池である。そして、この内部電池３４は、制御部３０及び表示部５に供給する。
【００１８】
次に、制御部３０によって行われるリールの主な制御処理を図６に示す制御フローチャートに従って説明する。
図７に示すステップＳ１において、ロックキーＬＫが押圧されたか否かを判断する。ロックキーＬＫが押圧されると、ステップＳ２へ移行し、表示キー６ａのオン操作が無効となっているキーロック状態であるか否かを判断する。キーロック状態でなければ、ステップＳ３において表示キー６ａのオン操作を無効とし、キーロック状態であれば、ステップＳ４において表示キー６ａのオン操作を有効とする。
【００１９】
次に、ステップＳ５において、表示キー６ａが押圧されたか否かを判断する。表示キー６ａが押圧されると、ステップＳ６へ移行し、キーロック状態であるか否かを判断する。キーロック状態でなければ、ステップＳ７において表示部５をオンにし、キーロック状態であれば、ステップＳ８へ移行する。
ステップＳ８では、モードキー６ｂやメモキー６ｃの他のキーが押圧されたか否かを判断する。モードキー６ｂやメモキー６ｃが押圧されると、ステップＳ９へ移行し、キーロック状態であるか否かを判断する。キーロック状態でなければ、ステップＳ１０において各種のキー入力処理を行い、キーロック状態であれば、次へ移行する。
【００２０】
このカウンタリールでは、表示キー６ａがオフ操作されているとき、すなわち表示部５がオフ状態であるとき、ロックキーＬＫをオン操作すると表示キー６ａのオン操作を無効にすることができる。ここでは、たとえばリールを箱に収納する前にロックキーＬＫをオン操作することにより、箱の内部で表示キー６ａが押圧されても表示部５がオン状態になることはない。一方、ロックキーＬＫは、操作面５０ａがケース部材４と面一以下になるように装着されているので、箱の中でロックキーＬＫが押圧されにくくなる。したがって、表示部５の表示状態を維持することがなくなるので、内部電池３４の消耗を防止することができる。
【００２１】
〔他の実施形態〕
（ａ）  前記実施形態では、釣り用リールとしてカウンタリールを例にあげて説明したが、これに限定されるものではなく、モータでスプールを回転する電動リール等にも本発明を適用できる。また、釣り用リールだけでなく各種の釣り情報を表示する表示装置にも本発明を適用できる。
【００２２】
（ｂ）  前記実施形態では、ロックキーＬＫは、表示部５の左側部に設けられていたが、これに限定されるものではない。図７に示すように、モードキー６ｂの操作面をケース部材４と面一以下になるように設け、モードキー６ｂとロックキーＬＫとを兼用する構成にしてもよい。
（ｃ）  前記実施形態では、ケース部材４はリール本体１の上部に固定されていたが、これに限定されるものではなく、リール本体１に対して移動自在または揺動自在な構成であってもよい。また、ケース部材４をリール本体１に対して着脱自在な構成にしてもよい。
【００２３】
【発明の効果】
本発明によれば、釣り情報表示装置において、第１スイッチ操作部材がオフ操作されているとき、すなわち表示部がオフ状態であるとき、第２スイッチ操作部材をオン操作すると第１スイッチ操作部材のオン操作を無効にできるので、内部電池の消耗を防止できる。
【図面の簡単な説明】
【図１】本発明の一実施形態による両軸受リールの斜視図。
【図２】前記両軸受リールの平面図。
【図３】制御部の構成を示すブロック図。
【図４】ロックキーの拡大平面図。
【図５】前記ロックキーの拡大側面図。
【図６】メインルーチンの処理の内容を示すフローチャート。
【図７】他の実施形態の図２に相当する図。
【符号の説明】
１  リール本体
４  ケース部材
５  表示部
６  スイッチ操作部
６ａ  表示キー
６ｂ  モードキー
６ｃ  メモキー
３０  制御部
３４  内部電池
５０  操作部材
５０ａ  操作面
ＬＫ  ロックキー
【図１】
2004254665.tif 000003
【図２】
2004254665.tif 000004
【図３】
2004254665.tif 000005
【図４】
2004254665.tif 000006
【図５】
2004254665.tif 000007
【図６】
2004254665.tif 000008
【図７】
2004254665.tif 000009